(57)【要約】      （修正有）【課題】衛星アンテナの指向誤差を推定するためのシステム及び方法を提供する。【解決手段】システムにおいて、マルチチャネルアンテナ（ＡＮＴ）を含むマルチチャネル送信機又は受信機と、１つのチャネルあたり１つのアナログデジタル変換器ＡＤＣ１、２と、１組のデジタル集積回路（ＰＮ）と、衛星上で実装されるか又は地上局で実装されるアンテナの指向誤差を推定するための推定デバイス（ＥＳＴ）を含む。指向誤差を推定するためのデバイスは、送信機又は受信機の少なくとも２つのチャネルに対して、少なくとも２つのテスト信号を取得するステップを含む。【選択図】図１
2020167675.tif 000002
【特許請求の範囲】
【請求項１】
衛星のアンテナ（ＡＮＴ）の指向誤差を推定するためのシステムであって、前記衛星が、マルチチャネルアンテナ（ＡＮＴ）を含むマルチチャネル送信機又は受信機と、１つのチャネルあたり１つのアナログ処理チェーンと、１組のデジタル集積回路（ＰＮ）とを含むペイロード（ＣＵ）を含む、システムであり、前記衛星上で実装されるか又は地上局で実装される前記アンテナの指向誤差を推定するための推定デバイス（ＥＳＴ）を含む、システムであり、指向誤差を推定するための前記デバイスが、
−  前記送信機又は前記受信機の少なくとも２つのチャネルに対して、少なくとも２つのテスト信号を取得するステップ（２０２、４０３）であって、各テスト信号が、前記アンテナによって、前記衛星の視点から異なる方向（θＡ、θＢ）に沿って送信又は受信されている、ステップ（２０２、４０３）と、
−  少なくとも１対の取得テスト信号に対して、２つの別個のチャネルにおいてそれぞれ受信又は送信された前記テスト信号間の相対複素利得を各テスト信号に対して決定するステップ（２０３）と、
−  前記２つの相対複素利得間の比率及び／又は前記２つの相対複素利得の位相間の差から前記２つのテスト信号間の比較測定値を決定するステップ（２０４）と、
−  前記比較測定値、前記テスト信号の送信又は受信の前記予期方向（θＡ、θＢ）並びに各チャネルに対する及び多数の方向における前記アンテナの前記利得のモデルに基づいて、前記アンテナの指向誤差（ｄθ）を決定するステップ（２０５）と
を行うように構成される、システム。
【請求項２】
各テスト信号が、少なくとも１つのスペクトル線から構成される、請求項１に記載のアンテナの指向誤差を推定するためのシステム。
【請求項３】
指向誤差を推定するための前記推定デバイス（ＥＳＴ）が、異なる方向、異なる複数対の別個のチャネル又はテスト信号のいくつかの周波数において送信又は受信された複数対のテスト信号に基づいて、指向誤差の多数の推定値を決定するように構成される、請求項１又は２に記載のアンテナの指向誤差を推定するためのシステム。
【請求項４】
指向誤差を推定するための前記推定デバイス（ＥＳＴ）が、
−  前記アンテナの前記利得の前記モデルに基づいて、前記アンテナの指向誤差、前記周波数及び前記テスト信号の送信又は受信の前記予期方向（θＡ、θＢ）に応じて、前記２つのテスト信号間の比較測定値のモデルを決定するステップと、
−  前記比較測定値とこの値で取り入れられた前記比較測定値モデルとの差の最小化を可能にする前記指向誤差の値を探索するステップと
を行うことによって、前記アンテナの指向誤差を決定するように構成される、請求項１〜３のいずれか一項に記載のアンテナの指向誤差を推定するためのシステム。
【請求項５】
前記ペイロード（ＣＵ）が、マルチチャネル受信機を含み、指向誤差を推定するための前記推定デバイス（ＥＳＴ）が、少なくとも２つの受信チャネルに対して、少なくとも２つのテスト信号のデジタル化時間サンプルシーケンスを受信するように構成され、前記時間サンプルシーケンスが、前記１組のデジタル集積回路（ＰＮ）の前記様々なチャネルから同時に取得される、請求項１〜４のいずれか一項に記載の衛星のアンテナの指向誤差を推定するためのシステム。
【請求項６】
少なくとも２つのテスト地上局（ＳＴ１、ＳＴ２）をさらに含む、請求項５に記載の衛星のアンテナの指向誤差を推定するためのシステムであって、各テスト地上局が、前記衛星に向けてテスト信号を送信する（２０１）ように構成される、システム。
【請求項７】
各テスト地上局が、全く同一の周波数で次々と又は同じ誤差の影響を受けるほど十分に近い別個の周波数で同時に、前記テスト信号を送信するように構成される、請求項５又は６に記載の衛星のアンテナの指向誤差を推定するためのシステム。
【請求項８】
前記ペイロードが、マルチチャネル送信機を含み、指向誤差を推定するための前記推定デバイス（ＥＳＴ）が、地上局で実装され、異なる地上局によって受信された各テスト信号が、前記アンテナによって、前記衛星の前記視点から異なる送信方向（θＡ、θＢ）に沿って送信される、請求項１〜４のいずれか一項に記載の衛星のアンテナの指向誤差を推定するためのシステム。
【請求項９】
少なくとも２つのテスト地上局（ＳＴ１、ＳＴ２）をさらに含み、各テスト地上局が、
−  前記衛星の前記視点から異なる方向に沿って前記衛星によって送信されたテスト信号を受信するステップ（４０１）と、
−  前記地上で受信された前記テスト信号を前記衛星の前記それぞれの送信チャネルに対応するいくつかの信号に分離するステップ（４０２）と、
−  指向誤差を推定するための前記デバイスに、少なくとも２つの別個の送信チャネルに対して受信された前記それぞれのテスト信号を発信するステップと
を行うように構成される、請求項８に記載の衛星のアンテナの指向誤差を推定するためのシステム。
【請求項１０】
前記衛星によって送信された前記テスト信号への多元接続のための手順を適用するように構成された、請求項８又は９に記載の衛星のアンテナの指向誤差を推定するためのシステム。
【請求項１１】
衛星のアンテナの指向誤差を推定するための方法であって、前記衛星が、マルチチャネルアンテナを含むマルチチャネル送信機又は受信機と、１つのチャネルあたり１つのアナログ処理チェーンと、１組のデジタル集積回路とを含むペイロードを含む、方法であり、
−  前記送信機又は前記受信機の少なくとも２つのチャネルに対して、少なくとも２つのテスト信号を取得するステップ（２０２、４０３）であって、各テスト信号が、前記アンテナによって、前記衛星の視点から異なる方向（θＡ、θＢ）に沿って送信又は受信されている、ステップ（２０２、４０３）と、
−  少なくとも１対の取得テスト信号に対して、２つの別個のチャネルにおいてそれぞれ受信又は送信された前記テスト信号間の相対複素利得を各テスト信号に対して決定するステップ（２０３）と、
−  前記２つの相対複素利得間の比率及び／又は前記２つの相対複素利得の位相間の差から前記２つのテスト信号間の比較測定値を決定するステップ（２０４）と、
−  前記比較測定値、前記テスト信号の送信又は受信の前記予期方向並びに各チャネルに対する及び多数の方向における前記アンテナの前記利得のモデルに基づいて、前記アンテナの指向誤差（ｄθ）を決定するステップ（２０５）と
を含む、方法。
【請求項１２】
前記指向誤差（ｄθ）に基づいて前記アンテナ（ＡＮＴ）の前記指向を補正するステップ（２０６、４０４）をさらに含む、請求項１１に記載の衛星のアンテナの指向誤差を推定するための方法。
【発明の詳細な説明】
【技術分野】
【０００１】
本発明は、衛星通信システムの分野に関し、より正確には、衛星上に設置され、送信モード又は受信モードで動作する能動アンテナの分野に関する。
【０００２】
本発明は、衛星アンテナの指向誤差を推定するためのシステム及び方法に関する。
【背景技術】
【０００３】
本発明は、衛星に搭載された能動アンテナ（具体的には、反射鏡を有するアンテナの事例だが、それだけとは限らない）の指向誤差の精密な決定における問題の解決法を提案する。
【０００４】
アンテナの指向誤差は、機械的に制御されるアンテナの照準方向と実際の方向との差に相当する。実際には、特に、アンテナの機械的リンクの熱弾性変形、衛星の動的変形、及び、その角度安定性又は不完全な姿勢が原因で、所望の方向と実際の方向との間に大差が存在し得る。
【０００５】
現に、アンテナの指向方向は、衛星の姿勢に基づいて、衛星と関係している基準系において決定される。しかし、衛星の姿勢の決定及び維持は、非ゼロ許容誤差（典型的には、１日超で０．１°程度）でのみ可能である。この誤差の影響は、アンテナの指向精度まで尾を引き、従って、アンテナの基準系又は地上の基準系のそれぞれに相対的に、衛星のアンテナによって受信又は送信される信号の到達方向への影響をもたらす。
【０００６】
この精度不足は、ある用途に対して害を及ぼし得る。特に、ペイロードの様々な処理チャネルの精密な較正を実行することを希望する際は、アンテナの指向方向を精密に知る必要がある。
【０００７】
その上、限られたサイズのスポットに照射するマルチビームアンテナの事例では、アンテナ有効範囲の安定性を保証するために、アンテナの指向を精巧に制御する必要性も存在する。
【発明の概要】
【発明が解決しようとする課題】
【０００８】
衛星アンテナの指向誤差を精密に推定するための様々な解決法が存在する。
【０００９】
第１の解決法は、少数の供給源からなる指向測定専用のいわゆる「ＲＦ検知」システムをアンテナに装備するか、又は、まさに特有のアンテナ及び電子処理機器を装備するものである。このシステムは、アンテナに機械的に結合しなければならない。
【００１０】
この解決法の欠点は、衛星の質量及び消費量の増加を伴うことである。また、追加の供給源がアンテナの挙動を妨害しないことを保証することも必要になる。結局、かさばり、質量及び消費量に関する影響を無視できないことが分かる。
【００１１】
第２の解決法は、アンテナの機械的リンクに対する熱弾性効果を無視するものである。次いで、衛星の姿勢に基づいてアンテナの指向が推定され、その推定は、星の測定を実行する光センサ（「スタートラッカ」タイプのもの）を用いて行われる。この解決法は、経済的ではあるが、アンテナの指向における予期精度を得ることはできない。
【００１２】
第３の解決法は、受信モードのアンテナの事例において、様々な地理的位置にある様々な地上局から既知の周波数でいくつかの信号を送信し、次いで、ペイロードのデジタルプロセッサにおいて、アンテナの下流にある様々な無線周波数チェーンから生じた信号のコヒーレント取得を実行するものである。１組のチャネルにわたってデジタル化されたシーケンスを基に、信号の相関行列の推定及び雑音／信号固有部分空間分解に基づいて、ＭＵＳＩＣタイプのアルゴリズムを実装することができる。これにより、地上局によって送信された信号の到達方向の推定が可能になる。
【００１３】
しかし、この技法は、好ましくない信号対雑音比や、とりわけ、無線周波数チェーンの遅延、位相及び利得に関する不完全性の影響を強く受けることで知られている。
【００１４】
その上、この手順は、送信モードのアンテナに対する適用が難しく、その理由は、相関行列を構築するために、地上で受信された信号内で、アンテナの多様な放射要素によって送信された（同時に送信された）信号を区別する必要があるためである。信号の分離は、大多数の放射要素が同時に送信する事例において、測定精度を低下する。
【課題を解決するための手段】
【００１５】
本発明は、受信モード又は送信モードのアンテナの指向誤差の推定における問題の新規の解決法を提案する。
【００１６】
その解決法は、２つの異なる方向に沿ってテスト信号の送信又は受信を行う少なくとも２つの地上局を採用することに基づく。信号は、衛星上で又は地上で処理され、様々な方向におけるアンテナの利得のモデルに基づいてアンテナの指向方向が精密に決定される。
【００１７】
提案される解決法により、質量及び消費量に影響を及ぼす衛星搭載の特定の手段を必要とすることなく、アンテナの指向の推定精度を向上することができる。得られる精度は、ペイロードのアナログ無線周波数チェーン間の分散とは無関係である。また、得られる精度は、様々な地上局によって送信される信号間の伝播状態の変動や、地上局のアナログ無線周波数チェーン間の分散とも無関係である。また、その解決法は、衛星によって提供されるサービスに影響を及ぼすことはない。その解決法は、アンテナ誤指向の規則的な又はまさに継続的な推定を可能にする。推定の精度レベルは、より多くの地上局、様々な周波数又は衛星搭載のいくつかの受信／送信チャネルを利用することによってさらに向上することができる。
【００１８】
本発明の対象は、衛星のアンテナの指向誤差を推定するためのシステムであって、衛星が、マルチチャネルアンテナを含むマルチチャネル送信機又は受信機と、１つのチャネルあたり１つのアナログ処理チェーンと、１組のデジタル集積回路とを含むペイロードを含む、システムであり、衛星上で実装されるか又は地上局で実装されるアンテナの指向誤差を推定するための推定デバイスを含む、システムであり、指向誤差を推定するためのデバイスが、
−  送信機又は受信機の少なくとも２つのチャネルに対して、少なくとも２つのテスト信号を取得するステップであって、各テスト信号が、アンテナによって、衛星の視点から異なる方向に沿って送信又は受信されている、ステップと、
−  少なくとも１対の取得テスト信号に対して、２つの別個のチャネルにおいてそれぞれ受信又は送信されたテスト信号間の相対複素利得を各テスト信号に対して決定するステップと、
−  ２つの相対複素利得間の比率及び／又は２つの相対複素利得の位相間の差から２つのテスト信号間の比較測定値を決定するステップと、
−  比較測定値、テスト信号の送信又は受信の予期方向並びに各チャネルに対する及び多数の方向におけるアンテナの利得のモデルに基づいて、アンテナの指向誤差を決定するステップと
を行うように構成される、システムである。
【００１９】
本発明の特定の態様によれば、各テスト信号は、少なくとも１つのスペクトル線から構成される。
【００２０】
本発明の特定の態様によれば、指向誤差を推定するためのデバイスは、異なる方向、異なる複数対の別個のチャネル又はテスト信号のいくつかの周波数において送信又は受信された複数対のテスト信号に基づいて、指向誤差の多数の推定値を決定するように構成される。
【００２１】
本発明の特定の態様によれば、指向誤差を推定するためのデバイスは、
−  アンテナの利得のモデルに基づいて、アンテナの指向誤差、周波数及びテスト信号の送信又は受信方向（θＡ、θＢ）に応じて、２つのテスト信号間の比較測定値のモデルを決定するステップと、
−  比較測定値とこの値で取り入れられた比較測定値モデルとの差の最小化を可能にする指向誤差の値を探索するステップと
を行うことによって、アンテナの指向誤差を決定するように構成される。
【００２２】
本発明の特定の態様によれば、ペイロードは、マルチチャネル受信機を含み、指向誤差を推定するためのデバイスは、少なくとも２つの受信チャネルに対して、少なくとも２つのテスト信号のデジタル化時間サンプルシーケンスを受信するように構成され、時間サンプルシーケンスは、１組のデジタル集積回路において様々なチャネルから同時に取り出される。
【００２３】
本発明の特定の態様によれば、指向誤差を推定するためのシステムは、少なくとも２つのテスト地上局をさらに含み、各テスト地上局は、衛星に向けてテスト信号を送信するように構成される。
【００２４】
本発明の特定の態様によれば、各テスト地上局は、全く同一の周波数で次々と又は同じ誤差の影響を受けるほど十分に近い周波数で同時に、テスト信号を送信するように構成される。
【００２５】
本発明の特定の態様によれば、ペイロードは、マルチチャネル送信機を含み、指向誤差を推定するためのデバイスは、地上局で実装され、異なる地上局によって受信された各テスト信号は、アンテナによって、衛星の視点から異なる送信方向に沿って送信される。
【００２６】
本発明の特定の態様によれば、指向誤差を推定するためのシステムは、少なくとも２つのテスト地上局をさらに含み、各テスト地上局は、
−  衛星の視点から異なる方向に沿って衛星によって送信されたテスト信号を受信するステップと、
−  地上で受信されたテスト信号を衛星の送信チャネルに対応するいくつかの信号に分離するステップと、
−  指向誤差を推定するためのデバイスに、少なくとも２つの別個の送信チャネルに対して受信されたテスト信号を発信するステップと
を行うように構成される。
【００２７】
本発明の特定の態様によれば、システムは、衛星によって送信されたテスト信号への多元接続のための手順を適用するように構成される。
【００２８】
また、本発明の対象は、衛星のアンテナの指向誤差を推定するための方法であって、衛星が、マルチチャネルアンテナを含むマルチチャネル送信機又は受信機と、１つのチャネルあたり１つのアナログ処理チェーンと、１組のデジタル集積回路とを含むペイロードを含む、方法であり、
−  送信機又は受信機の少なくとも２つのチャネルに対して、少なくとも２つのテスト信号を取得するステップであって、各テスト信号が、アンテナによって、異なる方向に沿って送信又は受信されている、ステップと、
−  少なくとも１対の取得テスト信号に対して、２つの別個のチャネルにおいてそれぞれ受信又は送信されたテスト信号間の相対複素利得を各テスト信号に対して決定するステップと、
−  ２つの相対複素利得間の比率及び／又は２つの相対複素利得の位相間の差の中から２つのテスト信号間の比較測定値を決定するステップと、
−  比較測定値、テスト信号の送信又は受信の予期方向並びに各チャネルに対する及び多数の方向におけるアンテナの利得のモデルに基づいて、アンテナの指向誤差を決定するステップと
を含む、方法でもある。
【００２９】
変形形態によれば、本発明による方法は、指向誤差に基づいてアンテナの指向を補正するステップをさらに含む。
【００３０】
添付の図面は本発明を示す。
【図面の簡単な説明】
【００３１】
【図１】本発明の第１の実施形態による、受信モードで動作している衛星のアンテナの指向誤差を推定するためのシステムの図を表す。
【図２】図１のシステムを用いて指向誤差を推定するための方法を実行するステップを詳述するフローチャートを表す。
【図３】本発明の第２の実施形態による、送信モードで動作している衛星のアンテナの指向誤差を推定するためのシステムの図を表す。
【図４】図３のシステムを用いて指向誤差を推定するための方法を実行するステップを詳述するフローチャートを表す。
【発明を実施するための形態】
【００３２】
図１及び２は、受信モードの衛星のアンテナの指向誤差を推定するためのシステム及び方法の実装形態を示す。
【００３３】
図１で説明されるシステムは、軌道上の衛星のペイロードＣＵと、少なくとも２つの地上局ＳＴ１、ＳＴ２とを含む。
【００３４】
各地上局ＳＴ１、ＳＴ２は、特に、衛星の方に向けられたアンテナと、衛星と通信するための送信チェーンと、デジタルアナログ変換器とを含む。本発明による方法が地上で実装される事例では、少なくとも１つの地上局ＳＴ２又は地上局ＳＴ２とインタフェースを取る他の何らかのリモート機器は、受信チェーンと、アナログデジタル変換器と、セキュアリンクＬＳを介して衛星と通信するための手段と、受信したデジタル化信号を格納するためのメモリと、信号を処理するための演算デバイスとを含む。リンクＬＳは、例えば、誤差補正コードタイプの誤差保護機構を採用することによって、安全保障されている。
【００３５】
ペイロードＣＵは、いくつかの放射要素からなる１つ若しくは複数のアンテナＡＮＴ又はアンテナアレイを含む。各放射要素は、信号を受信し、その信号は、ペイロードＣＵにおいて処理チャネルによって処理される。従って、ペイロードＣＵは、マルチチャネルオペレーションを呈する。チャネルは、アンテナＡＮＴの放射要素に相当する。図１では、簡単にするため、２つの受信チャネルを含むペイロードを表しているが、チャネルの数は、一般に、それより多い。
【００３６】
各処理チャネルは、アナログ無線周波数チェーンＲＦ１、ＲＦ２を含み、アナログ無線周波数チェーンＲＦ１、ＲＦ２は、受信した信号の周波数転移を実行するための１つ又は複数のフィルタ、１つ又は複数の増幅器及び任意選択により１つ又は複数の混合器からなる。
【００３７】
各アナログ無線周波数受信チェーンの出力には、アナログ信号をデジタル信号に変換するために、アナログデジタル変換器ＡＤＣ１、ＡＤＣ２が位置付けられており、デジタル信号は、１組のデジタル集積回路ＰＮに提供される。各デジタル集積回路は、例えば、特定の用途向けの集積回路（「特定用途向け集積回路」の英頭字語ＡＳＩＣでも知られている）、現場でプログラム可能なゲートアレイ（「フィールドプログラマブルゲートアレイ」の英頭字語ＦＰＧＡでも知られている）、１組の論理ゲート又は信号プロセッサ若しくは汎用プロセッサである。
【００３８】
１組のデジタル集積回路ＰＮは、例えば、１つの処理チャネルあたり１つのデジタルフィルタと、１組の処理チャネルに共通のビームフォーミング機能を実行するビームフォーミング回路ＦＦＣとを含む。ビームフォーミング回路ＦＦＣの機能は、特に、有効信号を受信できるように、アンテナの基準系に関連して、所望の方向にビームを形成するために、受信信号を線形結合して特定の複素利得セット（振幅及び位相）を得ることである。複素利得を得るための受信信号の特定の結合は、結合法則又はビームフォーミング法則を構成する。
【００３９】
図１の例は、単なる非限定的な例示として提供される。具体的には、１組のデジタル集積回路は、図１のものとは異なるモジュール式アーキテクチャを呈し得る。例えば、デジタル集積回路は、各チャネルに対する幾通りものデジタル集積回路、又は、チャネルのサブグループに対して並列且つカスケード動作するいくつかのビームフォーミング集積回路を含み得る。
【００４０】
すべてのアーキテクチャの事例では、１組のデジタル集積回路は、例えば、アナログデジタル変換器ＡＤＣ１、ＡＤＣ２の出力において、１組のチャネルのデジタル信号を全く同一の時間間隔にわたってコヒーレントに捕捉又は記録するためのメモリＭＥＭ（例えば、メモリ）を含む。本発明の一実施形態では、１組のデジタル集積回路ＰＮは、メモリＭＥＭによって捕捉されたデジタル信号に基づいてアンテナＡＮＴの指向誤差を推定するためのデバイスＥＳＴをさらに含む。このデバイスＥＳＴは、例えば、ソフトウェア要素及び／又はハードウェア要素を含む搭載コンピュータによって具体化される。本発明の別の実施形態では、指向誤差を推定するためのデバイスＥＳＴは、地上局ＳＴ１、ＳＴ２又は地上の他の何らかの機器に位置する。
【００４１】
本発明による方法は、少なくとも２つの地上局によって、２つの異なる到達方向θＡ、θＢに、少なくとも２つのテスト信号を発信するステップ２０１から始まる。本発明の範囲から逸脱することなく、２つを超える地上局を使用することができ、その各々は、異なる方向から衛星に向けてテスト信号を送信する。到達方向は、衛星の視点から異なるものでなければならない。この制約を満たすため、地上局は、例えば、異なるスポットに位置する。スポットは、マルチビームアンテナ有効範囲のビームに対応する。
【００４２】
テスト信号は、例えば、有効信号との干渉を避けることができる所定の周波数のスペクトル線からなる狭帯域信号である。また、テスト信号は、別の既定の信号によって変調された搬送波からなり得る。地上局ＳＴ１、ＳＴ２は、全く同一の周波数で次々と、又は、異なる周波数だが、伝播、ＲＦチェーン及びアンテナによって同じように影響を受けるほど十分に近い周波数で同時に、送信する。テスト信号は、前もって衛星及び地上局に知られている。
【００４３】
衛星によって受信された信号は、各チャネルの無線周波数チェーンＲＦ１、ＲＦ２によって衛星上で処理され、次いで、変換器ＡＤＣ１、ＡＤＣ２によってデジタル化される。
【００４４】
本発明による方法の第２のステップ２０２では、少なくとも２つの別個のチャネルに対して全く同一の時間間隔にわたってデジタル化信号がコヒーレントに取得される。例えば、信号は、２つのチャネルのアナログデジタル変換器の出力において又は１組のデジタル集積回路の他の場所で直接取り出され、唯一の制約は、２つの別個のチャネルに対応する信号を同時に取り出され得ることである。
【００４５】
少なくとも２つの別個のチャネルにおいて同時にデジタル化された信号に基づいて、２つの異なる到達方向において受信された少なくとも２つのテスト信号に対して、本発明による方法の以下のステップは、アンテナの指向誤差の推定値を決定することを目的とする。これらのステップは、衛星上で１組のデジタル集積回路ＰＮにおいて実行することも、衛星上に設置されたコンピュータによって又はテスト信号の送信のために使用される地上の地上局ＳＴ１、ＳＴ２のうちの１つ若しくは他の何らかの機器に設置されたコンピュータによって実行することもできる。図１は、１組のデジタル集積回路ＰＮにおいて実装された推定デバイスＥＳＴによって指向誤差の演算が実行される事例を図示する。
【００４６】
少なくとも２つのチャネルの各々に対して、テスト信号の有効搬送波付近の信号のデジタルフィルタリングのステップは、地上局によって送信されたスペクトル線の精密な回復を可能にする。
【００４７】
その後、ステップ２０３では、２つの地上局ＳＴ１、ＳＴ２による送信信号に相当する受信テスト信号の各々に対して、ペイロードの２つの受信チャネル間の相対複素利得が決定される。相対複素利得は、第１のチャネルのデジタル信号と第２のチャネルのデジタル信号との間の相互相関演算を実行することによって決定される。現に、較正信号は各チャネルにおいて同様に伝播されるため、信号の相互相関の結果、相対利得を得ることができ、相対利得は、２つの処理チャネル間の相対利得及び相対位相を含む。相互相関演算は、例えば、相関演算によって時間領域において直接実行されるか、又は、当業者に知られている技法に従って、２つの直接フーリエ変換、複素共役、虚数乗法及び間接フーリエ変換によって周波数領域において間接的に実行される。
【００４８】
ｄθをアンテナＡＮＴの指向誤差とする。
【００４９】
従って、アンテナＡＮＴによってθＡ＋ｄθの方向に観測される地上局ＳＴ１の場合、テスト信号の周波数ｆに対する相対複素利得の第１の測定値は、以下のように実行される。
【数１】
2020167675.tif 000003
【００５０】
従って、アンテナＡＮＴによってθＢ＋ｄθの方向に観測される地上局ＳＴ２の場合、テスト信号の周波数ｆに対する相対複素利得の第２の測定値は、以下のように実行される。
【数２】
2020167675.tif 000004
【００５１】
相対複素利得の各測定値は、いくつかの項の積に相当する。ρｋ，１（Ａｎｔｅｎｎａｆ，θＡ＋ｄθ）及びρｋ，１（Ａｎｔｅｎｎａｆ，θＢ＋ｄθ）の項は、周波数ｆに対するθＡ＋ｄθ及びθＢ＋ｄθのそれぞれの方向におけるアンテナの利得に相当する。
【００５２】
ρｋ，１（ＲＦｆ）及びρｋ，１（ＤＡＣ）の項は、これらの２つのチャネルの周波数ｆに対する無線周波数チェーンの挙動の差及びこれらの２つのチャネルのアナログデジタル変換器の挙動の差のそれぞれに関連する２つのチャネル間の利得比に相当する。これらの項は、２つの測定値に共通である。
【００５３】
以下のステップ２０４では、ステップ２０３において決定された相対利得の２つの測定値間の比率が決定される。
【数３】
2020167675.tif 000005
【００５４】
この比率を演算することにより、２つの測定値に共通の項が互いに相殺し合い、アンテナの利得に関連する寄与のみが保持される。
【００５５】
別のステップ２０５では、ステップ２０４において演算された比率は、その後、信号の到達方向及び周波数に応じて、アンテナの利得のモデルと比較される。このモデル、ステップ２０４において演算された比率及びテスト信号の予期到達方向の値に基づいて、指向誤差ｄθの推定値がそこから推測される。
【００５６】
到達方向θＡ、θＢは、地上局ＳＴ１、ＳＴ２及び衛星の既知の位置並びに衛星のアンテナの基準系に基づいて決定される。
【００５７】
指向誤差ｄθを決定するための可能な手順は、前述のステップ２０４において決定された比率とθＡ＋ｄθ及びθＢ＋ｄθのそれぞれの方向に対するモデルに基づいて決定されたアンテナ利得の比率との誤差の最小化を可能にするｄθの値を探索するものである。適切ないかなる数値解法の手順も、ｄθの推定値の決定を可能にする。
【００５８】
最後のステップ２０６では、推定指向誤差を使用して、機械的に又は推定誤指向ｄθを積分するためにビームフォーミング法則を適応させることによって、アンテナの指向が補正される。
【００５９】
本発明による方法の変形実施形態では、指向誤差ｄθのいくつかの推定値が決定される。
【００６０】
例えば、２つを超える地上局を使用することができ、この事例では、異なる到達方向に沿って受信された様々な対のテスト信号に対して、相対利得のいくつかの比率が演算される。
【００６１】
別の解決法は、ペイロードにおいて２つを超える受信チャネルを利用するものである。この事例では、様々な対の受信チャネルに対して、相対利得のいくつかの比率が演算される。
【００６２】
最後に、いくつかのテスト信号を異なる周波数で順番に送信することができる。この事例では、様々な周波数に対して、相対利得のいくつかの比率が演算される。
【００６３】
上記で説明される３つの変形形態（いくつかの地上局、いくつかの受信チャネル及びいくつかの周波数）は、共に組み合わせることができる。
【００６４】
指向誤差のいくつかの推定値の使用における利点は、この使用により、例えば、いくつかの誤差ｄθの値が利得測定値の比率とアンテナ利得モデルに基づいて決定された利得値の比率との同等性を成立させる場合、潜在的な曖昧さを取り除くことが可能になることである。
【００６５】
本発明による方法の別の変形実施形態では、相対複素利得の位相のみ又は振幅のみが利用される。この事例では、ステップ２０４において演算された複素利得の比率は、振幅比又は位相差と置き換えられる。
【００６６】
図３及び４は、送信モードのアンテナに適用された本発明の別の変形実施形態を説明する。
【００６７】
図３は、送信モードで動作しているアンテナＡＮＴを含む軌道上の衛星のペイロードＣＵを表す。ペイロードＣＵは、Ｎ個のチャネルにおいて送信モードでビームフォーミング機能を実行している１組のデジタル集積回路ＰＮと、各チャネルの出力におけるデジタルアナログ変換器と、デジタルアナログ変換器の出力といくつかの放射要素からなる１つ若しくは複数のアンテナＡＮＴ又はアンテナアレイとの間に接続されたＲＦ送信チェーンとを含む。送信モードの各処理チャネルは、アナログ無線周波数チェーンＲＦ１、ＲＦ２を含み、アナログ無線周波数チェーンＲＦ１、ＲＦ２は、信号の周波数転移を実行するための１つ又は複数のフィルタ、１つ又は複数の増幅器及び任意選択により１つ又は複数の混合器からなる。各放射要素は、送信チャネルと関連付けられる。従って、ペイロードＣＵは、マルチチャネルオペレーションを呈する。図３では、２つの送信チャネルを含むペイロードを表しているが、チャネルの数は、一般に、それより多い。
【００６８】
図４は、フローチャートにおいて、アンテナＡＮＴの指向誤差を推定して補正するための方法を実行するステップを詳述する。
【００６９】
第１のステップ４０１では、１組のデジタル集積回路ＰＮにおいて、以前に説明されたものと同様のテスト信号が生成される。例えば、テスト信号は、メモリＭＥＭにデジタル方式で格納し、次いで、各処理チャネルのデジタルアナログ変換器ＤＡＣ１、ＤＡＣ２に発信することができる。
【００７０】
テスト信号が地上で受信された際に送信チャネルを分離できるようにするため、多元接続技法を使用して、様々な送信チャネルにおいてテスト信号が送信される。多元接続技法は、例えば、拡散符号分割多元接続技法（ＣＤＭＡタイプのもの）であり、この事例では、生成されたデジタルテスト信号は、各送信チャネルに対して異なる拡散符号で拡散される。別の可能な多元接続技法は、周波数分割多元接続技法（ＦＤＭＡタイプのもの）であり、各送信チャネルに対して異なる周波数でテスト信号を変調するものである。デジタル信号は、事前に演算し、メモリ又はレジスタＭＥＭに格納することができる。
【００７１】
従って、テスト信号は、アンテナＡＮＴの１組の送信チャネルにおいて、２つの異なる方向θＡ、θＢで少なくとも２つの地上局ＳＴ１、ＳＴ２に発信される。
【００７２】
地上局ＳＴ１、ＳＴ２の各々では、送信チャネルによって、使用される多元接続技法（例えば、ＣＤＭＡ、ＦＤＭＡ又は他のタイプのもの）に応じて信号が分離され（４０２）、次いで、デジタル化される（４０３）。
【００７３】
その後、アンテナＡＮＴの指向誤差の推定値を決定するために、図２で説明されるステップ２０３、２０４、２０５が同様に適用される。
【００７４】
指向誤差の推定値の演算は、地上局ＳＴ１、ＳＴ２のうちの１つにおいて又は地上機器（地上局ＳＴ１、ＳＴ２に接続されても接続されなくともよい）において実行される。
【００７５】
その後、アンテナの指向の補正のために、セキュアリンクＬＳを介して衛星に指向誤差が発信される（４０４）。
【図１】
2020167675.tif 000006
【図２】
2020167675.tif 000007
【図３】
2020167675.tif 000008
【図４】
2020167675.tif 000009
【外国語明細書】
2020167675000001.pdf